(57)【特許請求の範囲】
【請求項１】
各要素が共振回路である周期性ａで二次元メッシュ状に分布させて配置された複数の要素を備えてなり、
前記要素の各々は互に相互接続されてアレイを形成し、各共振回路は一枚の定義された平面内に配置される表面を有し、前記複数の要素の各対応する複数の前記表面がグランドプレーンを画成し、前記要素の周期性ａが自由空間波長λに比して極めて小さい（ａ＜＜λ）ことを特徴とする
グランドプレーン内に電磁的に誘導される自由空間波長λを持つ周波数の表面電流を減少させる装置。
【請求項２】
請求項１に記載の装置であって、
前記複数の要素の各々が電気的にＬＣ共振回路として機能する
ことを特徴とする装置。
【請求項３】
請求項２に記載の装置であって、
前記複数の要素の各々が複数の隣接する要素を有し、前記隣接する要素の各々に容量的に結合されている
ことを特徴とする装置。
【請求項４】
請求項３に記載の装置であって、
前記複数の要素の各々が一緒に誘導的に共通結合されている
ことを特徴とする装置。
【請求項５】
請求項１に記載の装置であって、
前記複数の要素のアレイは、一つの表面を形成する対応する複数個の分離した導電パッチと、前記パッチの前記表面から所定の距離隔てられた一枚の共通の導電性の背面板とを有してなり、
前記複数のパッチが一枚の共通表面を形成し、前記複数のパッチの各々が導電線により前記隔てられた共通の背面板に結合されている
ことを特徴とする装置。
【請求項６】
請求項５に記載の装置であって、
さらに、前記複数の要素により画成される前記表面と前記背面板との間に介在させた誘電体材料を備えてなる装置。
【請求項７】
請求項６に記載の装置であって、
前記誘電体材料は誘電体シートであり、
前記複数のパッチは前記誘電体シートの第一の表面上に形成された導電性のパッチであり、
前記背面板は前記誘電体シートの反対側の表面上に設けられた連続した導電性の表面であり、
前記パッチを前記背面板に接続する前記導電線は前記誘電体シートを通って画成されるバイアの中に形成された金属化構造である
ことを特徴とする装置。
【請求項８】
請求項７に記載の装置であって、
前記パッチが前記誘電体シートの前記第一の表面上に画成された六角形の金属化構造である
ことを特徴とする装置。
【請求項９】
請求項１に記載の装置であって、
前記複数の共振要素が前記装置内における表面電流の伝搬を所定の周波数帯域ギャップ内で事実上遮るようにパラメータ設定されている
ことを特徴とする装置。
【請求項１０】
請求項１に記載の装置であって、
前記複数の要素が前記装置からの電磁波放射を周波数帯域ギャップ内のある周波数において位相シフトなしで反射するようにパラメータ設定されている
ことを特徴とする装置。
【請求項１１】
請求項１に記載の装置であって、
さらに、共振要素の前記表面の上方に設けられたアンテナを備えてなる装置。
【請求項１２】
請求項１１に記載の装置であって、
前記アンテナが前記アンテナのためのグランドプレーンとして作用する前記共振要素の前記表面に対して平行に設けられた放射素子で構成されている
ことを特徴とする装置。
【請求項１３】
請求項１２に記載の装置であって、
前記アンテナがワイヤアンテナである
ことを特徴とする装置。
【請求項１４】
請求項１２に記載の装置であって、
前記アンテナがパッチアンテナである
ことを特徴とする装置。
【請求項１５】
請求項１４に記載の装置であって、
前記パッチアンテナが前記共振要素の一つの代わりにその位置に置かれ、前記共振要素の前記表面内に設けられている
ことを特徴とする装置。
【請求項１６】
導電性表面内の表面電流を減少させる方法であって、
帯域内で表面伝搬が実質的に減少される周波数帯域ギャップを呈するように、各共振要素が互いに結合され形状および材料によりパラメータ設定されている複数の共振要素を分布させて配置した二次元的アレイを前記導電性表面に用意する段階と、
共振要素の前記表面の上方に設けられたソースから前記周波数帯域ギャップ内の周波数において電磁波エネルギを放射して、前記表面から反射された電磁波放射が前記周波数帯域ギャップ内の周波数において位相シフトを有しないようにする段階と
を含んでなる方法。
【請求項１７】
請求項１６に記載の方法であって、
前記表面に用意する段階は、複数の周期的またはほぼ周期的な導電要素のアレイを用意し、前記アレイの各導電要素は複数の隣接する導電要素を有していてそれら複数の隣接する導電要素に容量的に結合されており、前記複数の導電要素の各々は互いに誘導的に共通結合されている段階である
ことを特徴とする方法。
【請求項１８】
請求項１７に記載の方法であって、
複数要素の前記共振アレイを用意する段階は、第一の表面上に周期的またはほぼ周期的なアレイを画成する複数の導電パッチを用意するとともに、前記第一の表面から所定の距離だけ隔てられた連続した導電性の第二の表面を用意し、前記第一の表面の前記導電パッチの各々は前記連続した導電性の第二の表面に誘導的に結合されている段階である
ことを特徴とする方法。
【請求項１９】
請求項１６に記載の方法であって、
ソースから電磁波エネルギを放射する段階は、要素の前記アレイの前記表面と平行でかつそれに隣接して設けられたワイヤアンテナから電磁波エネルギを放射する段階を含んでなる
ことを特徴とする方法。
【請求項２０】
請求項１６に記載の方法であって、
ソースから電磁波エネルギを放射する段階は、共振要素の前記アレイの前記表面内に設けられたアンテナから電磁波エネルギを放射する段階を含んでなる
ことを特徴とする方法。
【請求項２１】
請求項１に記載の装置であって、
前記複数の要素は、少なくとも第一および第二のセットの要素を含んでなり、前記第一のセットの要素は前記グランドプレーンを含む第一の定義された平面内に設けられており、前記第二のセットの要素は第二の定義された平面内に設けられており、前記第二の定義された平面は前記第一の定義された平面から空間を隔ててその上方に設けられており、前記第一および第二のセットの要素により形成されるアレイはそれぞれが重なり合ったモザイクを形成し、前記第二のセットの各要素が前記第一のセットの要素の中の少なくとも一つの要素から離れて重なり合っている
ことを特徴とする装置。
【請求項２２】
請求項２１に記載の装置であって、
前記第一および第二のセットの要素の各々がさらに一つ以上の対応するサブセットの要素を含んでなり、前記第一のセットの要素の各サブセットは互いに積み重ねられているとともに前記第二のセットの要素の各サブセットは互いに積み重ねられており、前記第一のセットの要素の前記サブセットは前記第二の要素の少なくとも一つのサブセットから離れかつ隣接しており、前記第一および第二のセットの要素の交互に重なり合ったアレイの二枚以上の層ができている
ことを特徴とする装置。
【請求項２３】
請求項２１に記載の装置であって、
前記第一の要素セットが、前記対応する第一の定義された平面を形成する対応する複数の分離した第一の導電パッチと、前記第一の導電パッチの前記表面から所定の距離だけ隔てられた共通の導電背面板と、前記背面板と前記第一の導電パッチの間に設けた第一の誘電体材料とを備えてなり、
前記複数の第一の導電パッチが共通表面を形成し、前記複数の第一の導電パッチの各々が前記隔たった背面板に導電線で結合されている
ことを特徴とする装置。
【請求項２４】
請求項２１に記載の装置であって、
前記第二の要素セットが、前記対応する第二の定義された平面を形成する対応する複数の離れた第二の導電パッチと、前記第一および第二の導電パッチの間に設けられた第二の誘電体材料とを備えてなる
ことを特徴とする装置。
【請求項２５】
導電背面板と、
第一の平面内に配置された第一のセットの導電パッチと、
前記第一の平面と前記導電背面板との間で第二の平面内に配置された第二のセットの導電パッチとを備えてなり、
第二のセットの各導電パッチの少なくとも一部分が前記導電背面板と前記第一のセットの少なくとも一つの導電パッチの少なくとも一部分との間に位置し、前記第一のセットの導電パッチおよび前記第二のセットの導電パッチが導体を介して前記導電背面板に接続されていることにより複数の分布共振要素を形成してなる
装置。
【請求項２６】
請求項２５に記載の装置において、
前記第一および第二のセットの導電パッチは、その中央に付けられた単一の導体を介して前記導電背面板に接続されている
ことを特徴とする装置。
【請求項２７】
請求項２５に記載の装置において、
前記第一の平面と前記第二の平面との間の第一距離が前記第二の平面と前記導電背面板との間の第二距離より小さい
ことを特徴とする装置。
【請求項２８】
請求項２７に記載の装置であって、
さらに、前記第一の平面と前記第二の平面との間に第一の誘電体材料を備えてなる
ことを特徴とする装置。
【請求項２９】
請求項２８に記載の装置において、
前記第一の誘電体材料がプリント回路基板材料である
ことを特徴とする装置。
【請求項３０】
請求項２８に記載の装置であって、
さらに、前記第二の平面と前記導電背面板との間に第二の誘電体材料を備えてなる
ことを特徴とする装置。
【請求項３１】
請求項３０に記載の装置において、
前記第二の誘電体材料がプリント回路基板材料である
ことを特徴とする装置。
【請求項３２】
請求項２５に記載の装置であって、
さらに、前記第一の平面上の前記第二の平面と反対側に配置された放射要素を備えてなる
ことを特徴とする装置。
【請求項３３】
請求項３２に記載の装置において、
前記放射要素が前記第一の平面に平行な第三の平面内に配置されている
ことを特徴とする装置。
【請求項３４】
金属背面板と、
第一の平面内に配置された一セットの金属パッチを備えてなり、この一セットの金属パッチは、前記金属背面板にパッチバイアを介して接続された任意数の接続パッチを含み、そのパッチバイアは、前記任意数の接続パッチの中央に付けられており、
さらに、前記第一の平面と前記金属背面板との間で第二の平面内に配置された一セットの金属プレートを備えてなり、この各金属プレートの少なくとも一部分が前記金属背面板と少なくとも一つの金属パッチの少なくとも一部分との間に位置し、前記一セットの金属プレートが前記金属背面板にプレートバイアを介して接続された任意数の接続プレートを含み、そのプレートバイアは、前記接続プレートの中央に付けられている
グランドプレーンメッシュ。
【請求項３５】
請求項３４に記載のグランドプレーンメッシュであって、
さらに、前記第一の平面と前記第二の平面との間に第一の誘電体材料を備えてなる
ことを特徴とするグランドプレーンメッシュ。
【請求項３６】
請求項３５に記載のグランドプレーンメッシュにおいて、
前記第一の誘電体材料がプリント回路基板材料である
ことを特徴とするグランドプレーンメッシュ。
【請求項３７】
請求項３４に記載のグランドプレーンメッシュであって、
さらに、前記第二の平面と前記導電背面板との間に第二の誘電体材料を備えてなる
ことを特徴とするグランドプレーンメッシュ。
【請求項３８】
請求項３７に記載のグランドプレーンメッシュにおいて、
前記第二の誘電体材料がプリント回路基板材料である
ことを特徴とするグランドプレーンメッシュ。
【請求項３９】
アンテナ平面内に配置された放射要素と、
前記アンテナ平面に実質的に平行な少なくとも二つの平面内に位置する複数の導電パッチで形成された複数の分布共振要素を含む高インピーダンスグランドプレーンメッシュと
を備えてなるアンテナ。
【請求項４０】
請求項３９に記載のアンテナにおいて、
前記高インピーダンスグランドプレーンメッシュが、
導電背面板と、
第一の平面内に配置された第一のセットの導電パッチと、
前記第一の平面と前記導電背面板との間で第二の平面内に配置された第二のセットの導電パッチとを含んでなり、
前記第二のセットの導電パッチの各々の少なくとも一部分が前記導電背面板と前記第一のセットの導電パッチの少なくとも一つの少なくとも一部分との間に配置されており、前記第一のセットの導電パッチおよび前記第二のセットの導電パッチが複数の分布共振要素を形成している
ことを特徴とするアンテナ。
【請求項４１】
請求項４０に記載のアンテナにおいて、
前記第一および第二のセットの導電パッチは、導体を介して前記導電背面板に接続されている
ことを特徴とするアンテナ。
【請求項４２】
連続したシート状をなす導電背面板と、
各々が導体を介して前記導電背面板に接続されていることにより複数の分布共振要素を形成し、前記導電背面板に実質的に平行な少なくとも二つの平面の各平面内にアレイを形成して配置され前記導電背面板の上を覆って設けられた複数の導電パッチとを備えてなり、
前記少なくとも二つの平面のうちの一つの平面内にある各導電パッチの部分が前記導電背面板と前記少なくとも二つの平面のうちの他方の平面内にある少なくとも一つの導電パッチの少なくとも一部分との間に位置するように、前記導電パッチが部分的に重なり合って配置されている
装置。
【請求項４３】
請求項４２に記載の装置において、
前記導電パッチは、その中央に付けられた導体を介して前記導電背面板に接続されている
ことを特徴とする装置。
【請求項４４】
請求項４２に記載の装置であって、
さらに、前記二つの平面に実質的に平行なアンテナ平面内に配置された放射要素を備えてなる
ことを特徴とする装置。
【請求項４５】
第一の平面内に配置された連続したシート状をなす導電背面板と、
第二の平面内にアレイを形成して配置され前記導電背面板の上を覆って設けられた所定の幾何学的形態を有する複数の導電パッチとを備えてなり、
前記複数の導電パッチは、前記導電背面板に接続されているとともに、装置を横切る表面波の強度の周波数応答に極超短波（ＵＨＦ）域の低い周波数より高い周波数に帯域ギャップを形成する幾何学的形態および前記導電背面板に対する配置形態で設けられている
装置。
【請求項４６】
請求項４５に記載の装置であって、
さらに、前記導電背面板と前記導電パッチとの間に誘電体材料を備えてなる
ことを特徴とする装置。
【請求項４７】
請求項４６に記載の装置において、
前記誘電体材料がプリント回路基板材料である
ことを特徴とする装置。
【請求項４８】
請求項４５に記載の装置であって、
さらに、放射要素を備えてなり、
前記導電パッチが前記放射要素と前記導電背面板との間に配置されている
ことを特徴とする装置。
【請求項４９】
請求項４５に記載の装置において、
前記周波数が２．２ＧＨｚから２．５ＧＨｚの周波数範囲内にある
ことを特徴とする装置。
【請求項５０】
請求項４５に記載の装置において、
前記周波数が１１ＧＨｚから１７ＧＨｚの周波数範囲内にある
ことを特徴とする装置。
【請求項５１】
請求項４５に記載の装置において、
前記パッチが複数の分布共振要素を形成している
ことを特徴とする装置。
【請求項５２】
第一の平面内に配置された連続したシート状をなす導電背面板と、
第二の平面内にアレイを形成して配置され前記導電背面板の上を覆って設けられた所定の幾何学的形態を有する複数の導電パッチとを備えてなり、
前記複数の導電パッチは、前記導電背面板に接続されているとともに、前記複数の導電パッチで画成される表面内の表面電流を極超短波（ＵＨＦ）域の低い周波数より高い周波数で抑制する幾何学的形態および前記導電背面板に対する配置形態で設けられている
装置。
【請求項５３】
請求項５２に記載の装置であって、
さらに、前記導電背面板と前記導電パッチとの間に誘電体材料を備えてなる
ことを特徴とする装置。
【請求項５４】
請求項５３に記載の装置において、
前記誘電体材料がプリント回路基板材料である
ことを特徴とする装置。
【請求項５５】
請求項５２に記載の装置であって、
さらに、放射要素を備えてなり、
前記導電パッチが前記放射要素と前記導電背面板との間に配置されている
ことを特徴とする装置。
【請求項５６】
請求項５２に記載の装置において、
前記周波数が２．２ＧＨｚから２．５ＧＨｚの周波数範囲内にある
ことを特徴とする装置。
【請求項５７】
請求項５２に記載の装置において、
前記周波数が１１ＧＨｚから１７ＧＨｚの周波数範囲内にある
ことを特徴とする装置。
【請求項５８】
請求項５２に記載の装置において、
前記パッチが複数の分布共振要素を形成している
ことを特徴とする装置。
【発明の詳細な説明】
【０００１】
【発明の属する技術分野】
この発明の努力分野は、アンテナ用のグランドプレーンに関し、特にアンテナによりグランドプレーン上に誘導される表面電流を減少させる方法に関する。
【０００２】
【従来の技術】
グランドプレーンは、殆どの無線周波およびマイクロ波のアンテナの広く行きわたった特徴的部材である。それは、アンテナの下方に横たわる導電性の表面でできており、殆どの放射をアンテナが置かれている半球の中に指向させることによりしばしば有用な作用を果たす。頻繁に、グランドプレーンは、表面が金属の航空機の場合のように、意図してというよりもむしろ必然的に存在する。多くのタイプのアンテナにとって、グランドプレーンはアンテナの機能を低下させたりアンテナの設計自体を左右する。最も自明な制約は、導電性表面上の正接電界がゼロでなければならないということであり、そのため電磁波は反射の際に１８０゜の位相シフトを被るということである。このことは、しばしばアンテナに約１／４波長の最低高さを課している。そのうえ、ＲＦ表面電流は、グランドプレーンの金属表面に沿って自由に伝搬することができる。これらの表面電流は、エッジその他の不連続箇所からの放射のために電力損失を招き、その航空機上の近隣アンテナ間に干渉をもたらす結果となる。位相合わせしたアレイでは、表面電流は特に問題となり、アンテナ素子間の結合をもたらし、死角を生じさせる。
【０００３】
【発明が解決しようとする課題】
そこで、ＲＦ電流の伝搬を阻止し電磁波を位相シフトゼロで反射するような金属表面を提供する何らかのタイプの方法または設計が必要となってくる。また、アンテナと関係するグランドプレーン上の表面電流を抑制して、より効率的なアンテナを提供し、位相合わせしたアレイにおいて素子間の結合を減じ、そして航空機上の近隣アンテナ間の干渉を減じるような何らかのタイプの方法または装置がさらに必要である。さらに、アンテナの後方半球へ電力を放射するエッジ電流のない反射器が必要である。また、反射波が位相シフトされず、放射素子がグランドプレーンにより短絡されることなく放射素子をグランドプレーンの表面の非常に近くに置くことができるため、より小型のアンテナを実現できるようなグランドプレーンも必要である。
【０００４】
【課題を解決するための手段】
この発明は、複数の要素を備えてなるグランドプレーン内に電磁的に誘導される表面電流を減少させるための装置である。各要素は、共振回路である。要素の各々は、互に相互接続されてアレイを形成している。各共振回路は、一枚の露出表面を有する。複数の要素の対応する複数の露出表面がグランドプレーンを画成する。
【０００５】
要素の各々は、電気的にＬＣ共振回路として機能する。要素の各々は、複数（subplurality）の隣接する要素を有し、その隣接する要素の各々に容量的に結合されている。複数の要素の各々は、一緒に共通に誘導的に結合されている。
【０００６】
図解されている態様では、複数要素のアレイは、一つの表面を形成する対応する複数個の分離した導電パッチを有する。それらパッチの表面から所定の距離を隔てて一枚の共通の導電性の背面板がある。それら複数のパッチは、一枚の共通表面を形成する。複数のパッチの各々は、隔てられた背面板に導電線により結合されている。発明の装置は、さらに、背面板と複数の要素により画成される表面との間に設けた誘電体材料を備えている。
【０００７】
図解されている態様では、誘電体材料は誘電体シートである。複数のパッチは、誘電体シートの第一の表面上に形成された導電性のパッチであり、背面板は、誘電体シートの反対側の表面上に設けられた連続した導電性の表面である。パッチを背面板に接続する線は、誘電体シートを通って画成されるバイアの中に形成された金属化構造体である。パッチは、誘電体シートの第一の表面上に画成された六角形の金属化構造体である。
【０００８】
複数の共振要素は、装置内における表面電流の伝搬を所定の周波数帯域ギャップ内で事実上遮るようにパラメータ設定されている。とりわけ、複数の要素は、この装置からの電磁波放射を周波数帯域ギャップ内の周波数において位相シフトなしで反射するようにパラメータ設定されている。
【０００９】
この発明の装置は、さらに、共振要素の表面の上方または内部に設けられたアンテナを備えている。とりわけ、そのアンテナは、共振要素の表面に対して平行に設けられた放射素子で構成されていて、共振要素の表面はアンテナのためのグランドプレーンとして働く。
【００１０】
一つの態様では、アンテナはワイヤアンテナである。他の態様では、アンテナはパッチアンテナである。パッチアンテナを共振要素の一つ以上の代わりにその位置に置換して、共振要素の表面内に設けてもよい。
【００１１】
他の態様では、複数の要素は、少なくとも第一および第二のセットの要素を含んでなっている。第一のセットの要素は、グランドプレーンを含む第一の定義された平面内に設けられている。第二のセットの要素は、第二の定義された平面内に設けられている。第二の定義された平面は、第一の定義された平面から空間を隔ててその上方に設けられている。第一および第二のセットの要素により形成されるアレイは、それぞれが重なり合ったモザイクを形成し、第二のセットの各要素が前記第一のセットの要素の中の少なくとも一つの要素から離れて重なり合っている。言い替えれば、基本的グランドプレーンアレイは、その上に重ね合わさった複数のパッチを有し、それらパッチは、背面板にも接続されているが、金属パッチの第一の平面の上に被さって金属パッチの第二の平面を形成している。
【００１２】
さらに他の態様では、第一および第二のセットの要素の各々が、さらに一つ以上の対応するサブセットの要素を含んでいる。第一のセットの要素の各サブセットは、互いに積み重ねられており、第二のセットの要素の各サブセットは、互いに積み重ねられている。第一のセットの要素のサブセットは、第二の要素の少なくとも一つのサブセットから離れかつそれに隣接しており、第一および第二のセットの要素の交互に重なり合ったアレイの二枚以上の層ができている。言い替えれば、上記で述べた二重層のグランドプレーンは、重ね合わさったパッチの交互の層を垂直に設けることにより任意の回数繰り返して、パッチの多層階構造を形成することができる。パッチのそれら平面は、単独で加えて奇数枚の平面をなすこともできるし、対で加えて偶数枚の平面をなすこともできる。
【００１３】
パッチの各平面の間に誘電体材料を設けることができ、各層の間に同じタイプの誘電体材料であってもよいし、材料を選択的に選んで異タイプの誘電体材料の層を順次段階付けて設けてもよい。
【００１４】
この発明は、また、導電性表面内の表面電流を減少させる方法とも定義され、複数の共振要素の二次元的アレイを当該表面に用意するステップを含んでいる。各共振要素は、互いに結合されて、形状および材料によりパラメータ設定され、帯域内で表面伝搬が実質的に減少される周波数帯域ギャップを呈している。共振要素の表面の上方に設けられたソースから周波数帯域ギャップ内の周波数において電磁波エネルギがを放射され、表面から反射される電磁波放射が周波数帯域ギャップ内の周波数において位相シフトを有しないようになっている。
【００１５】
用意される表面は、周期的またはほぼ周期的なアレイを形成する複数の導電性要素（導電素子）である。アレイの各要素は、複数の隣接する要素を有していて、それら複数の隣接する要素に容量的に結合されている。複数の要素の各々は、互いに誘導的に共通結合されている。とりわけ、複数要素の共振アレイは、第一の表面上に周期的またはほぼ周期的なアレイを画成する複数の導電パッチと、第一の表面から所定の距離だけ隔てられた連続した導電性の第二の表面である。第一の表面の導電パッチの各々は、連続した導電性の第二の表面に誘導的に結合されている。
【００１６】
ソースから電磁波エネルギを放射するステップは、複数要素のアレイの表面と平行でかつそれに隣接して設けられたアンテナから電磁波エネルギを放射すること、または共振要素のアレイの表面内に設けられたアンテナから電磁波エネルギを放射することを含んでいる。
【００１７】
【発明の実施の形態】
添付の図面により、この発明をよりよく視覚化し、そこでは同じ部分は同じ数字で参照されている。この発明がよりよく理解されるために、図解された実施態様を以下に詳細に説明する。図解された実施態様は、単に例として提供するもので、前記の請求項で規定するこの発明を限定する意図のものではない。
【００１８】
間に絶縁誘電体を介在させて導電性の背面板シートに各々が接続された複数の導電パッチによって、金属シートの表面内に画成される容量性要素および誘導性要素の二次元の周期的なパターンが用意される。それらの要素は、それらによって画成される表面内の表面電流を抑制するように働く。とりわけ、このアレイは、アンテナと組み合わせて使用するためのグランドプレーンメッシュを形成する。グランドプレーンメッシュの機能は、グランドプレーンメッシュに沿って表面電流が実質的に伝搬することのできない周波数帯域によって特徴付けられる。航空機や他の金属製の乗物にそのようなグランドプレーンを使用することにより、アンテナからの放射が航空機や乗物の金属表皮を横切って伝搬するのを防ぐ。これにより、グランドプレーン上の表面電流をなくし、電力損失および隣り合うアンテナ間の望まない結合を減少させる。
【００１９】
この発明は、図１に点線の枠１０で図式的に示された付き出した金属要素１０の薄い二次元パターンから離されかつそれにより被われた連続金属シート３０を備えてなっている。それぞれの要素１０は、その隣と容量的に結合しているとともに、金属シートに誘導的に結合しており、容量とインダクタンスが分布したアレイを形成している。例えば、図１の図式的な線図を見ると、要素１０が仮想キャパシタ１２によって互いに容量的に結合し、仮想的インダクタ１４によりシート３０に誘導的に結合しているように図式的に示されている。要素１０は、薄い二次元メッシュの形態で設けられており、それにより並列共振回路の二次元回路網として働き、要素１０のアレイにより総合的に構成されているメッシュ２４の表面インピーダンスを劇的に変化させる。図１において、ａは二次元メッシュの周期性の間隔を表し、ｔは要素１０の高さを表し、いずれも減少させようとする表面電流周波数の自由空間波長λに比して極めて小さい（ａ＜＜λ、ｔ＜＜λ）。
【００２０】
ここで、図２の図式的な線図を見よう。図２は、メッシュ２４を構成する金属要素１０のアレイパターンを印刷形成した印刷回路板の横断面の模式図である。以下、理解可能な範囲で、「メッシュ２４」と「回路板２４」を同義的に使用する。回路板２４の基板は、在来の絶縁材料２６でできている。回路板２４の裏側の表面２８には、銅クラッドのシートのような連続金属シート３０が設けられている。回路板２４の表側の表面は、金属バイア接続体３６により各々が裏面プレート３０に結合されている六角形の金属パッチ３４の二次元三角格子でパターン形成されている。明らかに、寸法等は、この発明の教えるところと矛盾しない要領で用途に応じて任意に変更することができる。
【００２１】
実効的には、回路板２４は、ＲＦ電流が金属表面３０に沿って流れるのを防ぐ二次元の周波数フィルタである。パッチ３４は、三角形の格子に配置されているけれども、この発明はこの幾何学的形態に限定されるものでもなく、正確に周期的である必要もない、と理解されなければならない。より重要なパラメータは、表面の上の個別の要素のインダクタンスおよびキャパシタンスである。この故に、各要素のインダクタンスおよびキャパシタンスに関してこの発明の教えと矛盾しないで、他の多くの幾何学的形態および非周期的パターンが採用されてもよい、と明白に理解されなければならない。
【００２２】
図３は、図２のグランドプレーンメッシュ２４の上平面図である。各要素３４は、その中央で金属バイア３６と接続された六角形の形に設けられている。複数の六角形の要素３４がメッシュ２４の表面にわたって分布する三角格子を形作っている。
【００２３】
ここで、グランドプレーンメッシュ２４の働きを、図４および５の上平面図にそれぞれ垂直および水平のモノポールアンテナについて図式的に示されたように、波がその表面の一端からモノポールアンテナプローブを用いて発せられ他端において類似のアンテナで受けられた場合について考察する。強力な伝送は、グランドプレーンメッシュ２４内の表面モードに結合していることを示す。
【００２４】
図６は、図４の試験用装置構成において測定されたｄＢで表した伝送振幅をＧＨｚで表した周波数の関数として示すグラフである。図６に描画された実験結果に約２８ＧＨｚの所に下側の帯域エッジ５４が明瞭に示されており、そこの所で伝送振幅が３０ｄＢだけ急峻に落ちている。下側の帯域エッジ５４より上では、表面電流はグランドプレーンメッシュ２４の上表面の上の並列共振回路のパターンによって阻止されている。上側の帯域エッジは、測定装置がその範囲で５０ＧＨｚに制限されていたので、図６の描写には見られない。
【００２５】
図６のこの発明の伝送性能を図７に示されたような従来のプレーン金属シートのそれと比較する。帯域ギャップの中、すなわち下側と上側の帯域エッジの間の周波数範囲では、この発明の構造体を横切る伝送は、通常の金属シート上よりも２０ｄＢ少ない。したがって、図６と７を比較することにより、この発明のグランドプレーンメッシュ２４内で表面電流の伝搬が抑制されることの有効な証拠が得られる。
【００２６】
ここで、小さいモノポールアンテナに対するグランドプレーンメッシュ２４の効果を考察する。この試験では、同軸ケーブルがグランドプレーンメッシュ２４の後ろ側を通って挿入され、同軸ケーブルのセンタピンをグランドプレーンメッシュ２４の前側を越えて２ｍｍ延び出させてモノポールアンテナとして作用させている。同軸ケーブルの外側導体は、グランドプレーンメッシュ２４の後ろ側で連続した金属の後ろ側シート３０に接続されている。無響室内で測定した角度の関数としてのアンテナパターンが図８および９に示されており、それらはそれぞれ帯域エッジより下および上のアンテナパターンの極座標プロットである。帯域エッジより下では、図８に示されるように、モノポールアンテナは９０°と２７０°の間の後方の半球の中へも含めてあらゆる方向に放射する。極パターンは、アンテナゲインの方位角分布を示しており、グラフの中心からの半径方向距離により伝送強度をｄＢで表している。したがって、前方の半球は、正面方向である０°を通って９０°と２７０°の間の角度である。後方の半球は、後方正面方向である１８０°を通って９０°と２７０°の間の角度である。
【００２７】
図８の後方放射は、グランドプレーンに沿って伝搬しエッジから電力を放射する電流のせいである。このパターンは、また、グランドプレーン上に定在波を形成する表面電流のため、多くのローブを含んでもいる。帯域エッジより上では、背面板電流は、図９に劇的に示されているように消去されている。結果として得られるアンテナパターンは滑らかで、後方半球におけるアンテナ阻止(antenna rejection)は３０ｄＢよりも大きい。表面電流がエッジへ伝搬できないので、実際に使用されたグランドプレーンの有限の大きさおよび容量は、それが恰も無限であるかのように見える。
【００２８】
比較の目的のために、同じ極座標プロットを、同じ周波数で、だだし従来の金属グランドプレーンつまり無垢の金属シートについて、図１０および１１に示す。予想どおり、図１０および図１１は、両者とも多くのローブおよび後方半球への相当量の放射を示している。
【００２９】
上記に説明した測定からいくつかの結論が導き出せる。第一に、無線周波（ＲＦ）の表面電流は、しばしば実際のアンテナ環境において存在し、それらはアンテナの放射パターンに相当な影響を与える。この発明のグランドプレーンメッシュ２４は、ＲＦ表面電流の伝搬を実質的に減少させ、それに対応する改善をアンテナパターンに達成する。上記の例証では単純なモノポールを用いたが、その結果はこの発明の改善が多くのタイプのアンテナにおいて実現されることを示唆している。この発明のグランドプレーンメッシュ２４は、表面波に相当量の電力を失う傾向のあるパッチアンテナの効率を改善することができる。位相合わせしたアレイでは、この発明の構造が死角効果および要素間の結合を減じることができる。航空機では、この発明のグランドプレーン構造の二次元幾何学形態を有するガードリングを使用することにより、近接するアンテナ間の干渉を減らすことができる。無線電話では、この発明に従って工夫した表面を使用して、使用者から電磁波放射を離して指向させることができる。最も重要なことは、従来の金属グランドプレーンの欠点のために以前は実現的でなかったアンテナの設計が、今やこのグランドプレーンメッシュ２４でもって可能となるのである。
【００３０】
この発明の第二の重要な特徴は、それが電磁波を通常の金属表面とは異なる位相で反射することである。反射波の位相は、ホーンアンテナを使用して表面に向けて平面波を発射し、第二のホーンアンテナで受信した波の位相を測定することによって試験することができる。反射波の位相を図１２に示す。２８ＧＨｚにおける帯域ギャップより下では、反射波の位相は、通常の金属表面の場合と同じであり、反射の際１８０°の位相シフトを示している。帯域エッジの近傍の２８ＧＨｚでは、位相シフトは９０°の値のところを通過するが、３５ＧＨｚでは反射波はゼロの位相シフトを有する。位相シフトがゼロであるグランドプレーンは、その表面に電界の節（ノード）を持たず、むしろ腹を持つことになる。そうすると、アンテナを、短絡されることなく、グランドプレーンメッシュ２４の表面の非常に近くに置くことができる。
【００３１】
２８ＧＨｚにおける帯域帯域エッジの近くで周波数とともに変化する位相シフトは、等価のタイムグループディレイと関連させることができる。誘電体の如何なる厚さが図８および９に図解されたモノポールアンテナのグループディレイと関連しているかを論じるのは、自然なことである。等価厚みは、材料２６の誘電定数がε＝２．２であることを考えると、グランドプレーンメッシュ２４の実際の厚みの３倍に等しい。このように、位相シフトは、単純にグランドプレーンメッシュ２４の厚みのためではなく、むしろグランドプレーンメッシュ２４の表面上の共振回路のエネルギ蓄積作用である。別の見方をすると、それは、材料の共振性質のため増加した実効誘電定数と見ることもできる。
【００３２】
この発明は、従来の金属グランドプレーンをグランドプレーンメッシュ２４で置き換えることによって、単純モノポールアンテナなどの種々のアンテナの特性を改善するために使用することができる。モノポールアンテナや他のデザインのアンテナから後方半球内の放射を除きかつアンテナパターンを滑らかにすることが期待できる。キャパシタンスおよびインダクタンスを増加することにより、この発明の教えるところに従って作られた構造のものは、図解の実施態様に関して説明したマイクロ波周波数においてのみでなく、極超短波（ＵＨＦ）またはそれより低い周波数においても動作することができる。
【００３３】
グランドプレーンメッシュ２４を備えてなる並列共振回路の中のキャパシタンスおよびインダクタンスを増加することにより、下側の帯域エッジの周波数を低くすることができる。この構造体を横切る表面電流伝送を図１３に示し、そこには帯域ギャップが１１および１７ＧＨｚの間に明瞭に見られる。図１４は、このキャパシタンスおよびインダクタンスを設けた表面から反射される電磁波について生じる位相シフトを示す。低い周波数においては、反射位相は１８０°で、反射波が入射波と逆相であることを示している。この低い周波数範囲では、平面はそのように通常の連続金属グランドプレーンシートに類似している。周波数が下側の帯域エッジ５４を越えて増加するにつれて、波は同相で反射される。図１４の右側部分の陰影領域に示された帯域ギャップの中では、波は同相で反射される。これにより、帯域ギャップの中では、そのような構造の近くに置かれたアンテナは、反射波から構造上の干渉を受け、短絡されないことになる。反射波の位相は、帯域ギャップの中でゼロを横切り、上側の帯域エッジ５６を越える周波数において終局的には−１８０°に近づく。
【００３４】
この発明のグランドプレーンメッシュ２４は、かくして通常の金属グランドプレーンでは不可能であった低い丈のアンテナを製造できるようにする。図１５は、航空機の表皮において起こり得るように在来の金属グランドプレーン６０に対して平らに横たわるかまたは僅かに上方に離された従来技術の水平ワイヤアンテナ４８を示す。図１６は、この発明のグランドプレーンメッシュ２４の上方に設けられた同じアンテナ５８を示す。図１５のアンテナのＳ１１反射損失(return loss)を周波数に対する伝送強度のグラフとして図１７のグラフに示す。Ｓ１１反射損失は、アンテナから反射されてソースに向かって戻る電力の測定である。このアンテナは、−３ｄＢつまり５０％以上の電力をマイクロ波ソースの方へ反射し戻すので、非常に貧弱な放射性能を呈する。グランドプレーン６０の金属表面の好ましくない位相シフトがアンテナ５８からの直接放射と金属表面６０から反射された放射との破壊的な干渉を生じさせるために、貧弱な放射性能になるものと理解できる。
【００３５】
図１８は、グランドプレーンメッシュ２４を付けた同じアンテナ５８のＳ１１反射損失を示す。帯域エッジ５４より下では、アンテナ５８も図１５および１７に示された在来の金属グランドプレーンの上方にアンテナを配置した構造に似て貧弱に機能する。帯域エッジ５４より上では、電磁波はグランドプレーンメッシュ２４の表面から同相で反射されるので、直接放射を強める。アンテナ５８は、約−１０ｄＢ（１０％）の反射損失でもって良好に機能する。
【００３６】
図１５および１６の二つのグランドプレーン配置構成におけるアンテナ５８の極放射パターンをそれぞれ図１９および２０に示す。測定は、１３ＧＨｚで行い、同じスケール上にプロットした。グランドプレーンメッシュ２４上のワイヤアンテナ５８は、在来の金属グランドプレーン上のものよりも約８ｄＢ多い利得を有し、Ｓ１１測定と一致する。
【００３７】
同様に、図２１および２２は、パッチアンテナ６２を図式的に描写した横断面図であり、図２１では通常の金属グランドプレーン表面６０の上方に取り付け、図２２ではグランドプレーンメッシュ２４の上方に取り付けてある。図２１および２２のアンテナ配置構成について測定したアンテナ反射損失を図２３のグラフに示す。両者配置構成は、類似の反射損失および帯域幅を有する。図２４は、金属表面６０の上のパッチアンテナの１３．５ＧＨｚでの極放射パターンを示し、そこでは両者アンテナの反射損失は等しい。このパターンは、後方半球内に相当量の放射を有するとともに、前方半球内に波打ちを有する。これらの効果の両方ともグランドプレーン上の表面電流により起こされている。
【００３８】
図２５は、グランドプレーンメッシュ２４付きのパッチアンテナ６２についての極放射パターンを示す。このパターンは、より滑らかで、より対称的で、後方への放射がより少ない。このアンテナは、また従来のグランドプレーン付きで使用したときよりも約２ｄＢ多い利得を有する。
【００３９】
図２６は、グランドプレーンメッシュ２４の別の実施態様の横断面図であり、上面金属パッチ６２がメッシュ２４内でプレート３４の上方にそれと重なり合って設けられ、プレート３４から薄い誘電体スペーサ７０で隔てられている。図２７は、図２６に示された構造体の上平面図である。金属パッチの上層がその下方の第二の層と重なり合って示されている。これにより隣り合う要素間のキャパシタンスを増加させ、周波数を低くしている。導電バイア７２が一部のまたは全部の金属パッチ６２を無垢の金属シート３０に接続しており、金属シート３０は第二の誘電体層２６により金属パッチ６２の多数の層から隔てられている。所望のキャパシタンスを実現するために、所望に応じて図２６に示されたものに金属パッチ６２および誘電体シート７０の追加の層を垂直方向に加えることができる。
【００４０】
図２６および２７のグランドプレーンメッシュ２４の電磁特性を図２８および２９のグラフに描写する。図２８は、図２６および２７に描写した構造体の上における表面波伝送強度対周波数のグラフである。帯域ギャップが２．２ＧＨｚから２．５ＧＨｚの周波数範囲をカバーしていることを見ることができる。図２９は、図２６および２７に描写した構造体の反射位相のグラフである。反射位相は帯域ギャップ内の周波数の所でゼロを横切っている。
【００４１】
したがって、グランドプレーンメッシュ２４の動作する周波数が幾何学的態様を調節することによって調整できるということが理解できる。グランドプレーンメッシュ２４上の低い丈のアンテナは、無垢の金属グランドプレーン上の類似のアンテナよりも良好に機能することを実証している。図解した実施態様は、垂直モノポールまたは水平ワイヤのアンテナおよびパッチアンテナの比較上の使用のみを示してきたが、類似のやり方で他のアンテナデザインを採用することもできる。両者アンテナの配置構成は、表面波抑制をうまく利用しているもので、パッチアンテナよりも水平ワイヤアンテナの方が、グランドプレーンメッシュ２４の表面の位相特性の反射から利を受けており、他のやり方では不可能であろうアンテナの新規な幾何学的態様（大きさや形）を提供する。
【００４２】
まとめとして、ここに次のことが実現される。すなわち、この発明のグランドプレーンメッシュ２４は、
（１）金属要素の二次元的配置を取り入れた金属グランドプレーンで構成されており、
（２）各要素は、近隣の要素と容量的に結合され、背面シート３０のグランドプレーンに誘導的に結合されており、
（３）メッシュ２４は、並列共振回路の回路網を形成し、
（４）並列共振回路は、グランドプレーンメッシュ２４上の表面電流の伝搬を阻止し、そして
（５）グランドプレーンメッシュ２４の共振性質がその表面から反射される電磁波位相を変化させる。
【００４３】
グランドプレーンメッシュ２４は、その表面に沿うＲＦ電流の伝搬を阻止する。
【００４４】
【付言】
この発明の精神および範囲から逸脱することなく、当業者によって多くの変更や修正が可能である。したがって、図解した実施態様は例のためにのみ説明したのであり、それは各請求項で定義されるこの発明を限定すると解釈されるべきでない、と理解されなければならない。
【００４５】
この発明およびその種々の実施態様を説明するためにこの明細書で使用した語句は、それらの一般的に定義された語義の意味においてのみならず、この明細書中で特別に定義したことにより、一般的に定義された語義の範囲を越えて構造、材料または行為を含むものと理解されるべきである。したがって、一つの要素がこの明細書の文脈において一つより多い意味を含むと理解できる場合は、請求項におけるその語句の使用は、明細書および語句自体により支持されたあらゆる可能な意味に対して総称的であると理解されるべきである。
【００４６】
したがって、前記の請求項の語句または要素の定義は、文字どおりに説明されている要素の組合せのみならず、実質的に同じ作用を実質的に同じ具合に果たし実質的に同じ結果を得るためのあらゆる等価の構造、材料または行為を含むものとこの明細書において定義される。この意味において、したがって、前記請求項の要素の如何なる一つを二以上の要素によって等価的に置換してもよいし、または請求項中の二以上の要素を単一の要素で置換してもよい。
【００４７】
当業者から見て、請求されている主題からの実質的でない変更は、現在知られているものおよび後に考案されたものとも、等価的に請求項の範囲内にあると、ここに殊更に意図するところである。したがって、当業者に現在または後日知られる自明の置換は、定義された要素の範囲内にあると、ここに定義する。
【００４８】
したがって、請求項は、上記に具体的に図解し説明したところのもの、概念的に等価であるもの、自明に置換できるもの、およびこの発明の本質的な思想を本質的に取り込んでいるものを含むと理解されるべきである。
【図面の簡単な説明】
【図１】  この発明のグランドプレーンメッシュの等価回路図であり、突き出した複数要素の薄い二次元の層に被われたグランドプレーンの金属シートを示す。各要素は互いに容量的に接続されているとともに、背面の金属表面に誘導的に接続されている。反対側の表面の金属要素の周期性ピッチａおよびグランドプレーンメッシュの厚さｔは、自由空間波長に比べて十分に小さい。
【図２】  この発明のグランドプレーンメッシュ２４の横断面図である。
【図３】  図１の分布インダクタンスおよび分布容量を組み入れたこの発明のグランドプレーンメッシュの実際の二次元グランドプレーン構造の平面図である。
【図４】  グランドプレーンメッシュ上の表面波モードを測定するための技術を図解する図である。図示の態様は、垂直モノポールアンテナプローブ（これがグランドプレーンを横切って表面波を伝送する）、および表面波を受信する類似のアンテナを示す。
【図５】  水平方向に向けたモノポールアンテナプローブを使用してグランドプレーンメッシュを横切る表面波を測定する別の技術を図解する図である。
【図６】  図４に示した表面波測定技術を使用した伝送強度対周波数のグラフである。
【図７】  グランドプレーンとして作用する従来の連続金属シートについての伝送強度対周波数のグラフである。
【図８】  帯域エッジより下の２６．５ＧＨｚの周波数で動作するこの発明のグランドプレーンメッシュ上に取り付けたモノポールアンテナの極放射パターンである。
【図９】  ３５．４ＧＨｚの周波数で動作する図８に示した同じモノポールの極放射パターンである。後方半球の放射が３０ｄＢ減じられており、このパターンにはグランドプレーン上のマルチパス電流に関わる死角がなく、滑らかな主ローブのみを呈している。
【図１０】  通常の金属グランドプレーンにおける２６．５ＧＨｚでの類似のモノポールの極放射パターンである。
【図１１】  図１０のモノポールの３５．４ＧＨｚでの極放射パターンである。
【図１２】  この発明のグランドプレーンメッシュの通常の金属表面に関する反射波の位相を周波数の関数として示すグラフである。周波数につれて位相が変化し約３５ＧＨｚでゼロを通過することが描かれている。
【図１３】  この発明のグランドプレーンメッシュ上での表面波伝送強度を周波数の関数として示すグラフである。帯域ギャップが１１ＧＨｚから１７ＧＨｚの範囲をカバーして明瞭に見られる。
【図１４】  この発明のグランドプレーンメッシュから反射された波の位相シフトを周波数の関数として示すグラフである。帯域ギャップ内では、波は同相で（位相が合って）反射されている。帯域ギャップ外では、通常の連続金属グランドプレーンシートの場合のように、波は逆相で（位相が外れて）反射されている。
【図１５】  金属表面に対して平らに横たわる水平ワイヤアンテナの図式的な描写である。このアンテナは、金属表面から反射される波からの破壊的な干渉のため十分に放射しない。というのは、金属表面、つまりその中に形成される打消し像により実効的に短絡されるからである。
【図１６】  この発明のグランドプレーンメッシュを使用した水平ワイヤアンテナの図式的な断面描写である。グランドプレーンメッシュの好ましい位相シフト特性のため、図１６のアンテナは短絡されず、十分に放射する。
【図１７】  図１５の金属グランドプレーン上方の水平ワイヤアンテナについてＳ１１の反射損失を示す周波数の関数としての伝送強度のグラフである。反射損失は−３ｄＢ（５０％）より大きく、アンテナが不十分に回転していることを示している。
【図１８】  図１６に示したのと同じこの発明のグランドプレーンメッシュ上方のアンテナからのＳ１１反射損失である。下側の帯域エッジより下では、アンテナは通常のグランドプレーンシート上のアンテナと似たように機能している。帯域エッジより上では、反射損失は約−１０ｄＢ（１０％）であり、良好なアンテナ機能を示している。
【図１９】  図１５の水平ワイヤアンテナについてのアンテナパターンの極放射グラフである。
【図２０】  図１６の水平アンテナの極放射パターンである。放射レベルは図１９における金属グランドプレーン上よりも約８ｄＢ多く、ずっと良好なアンテナ機能を示している。
【図２１】  従来の連続金属グランドプレーン上方のパッチアンテナの図式的な断面描写である。
【図２２】  図２１のと同じパッチアンテナであるが、この発明のグランドプレーンメッシュの中に組み込んだ場合の図式的な横断面図である。
【図２３】  図２１および２２の両者パッチアンテナのＳ１１測定であり、両者が類似の反射損失および類似の放射帯域幅を有することを示している。図２１のアンテナは点線で示され、図２２のアンテナは実線で示されている。
【図２４】  図２１の従来のパッチアンテナの極放射パターンである。このパターンは後方半球の有意な放射を示しており、前方半球の放射パターンが波打った特徴を呈している。これらの効果の両方ともが従来の金属グランドプレーン上に表面電流により引き起こされている。Ｅ平面グラフが実線により示され、Ｈ平面グラフが点線により示されている。
【図２５】  図２２のパッチアンテナの極放射パターンである。このアンテナは、図２１のアンテナよりも少ない後方放射を有している。このパターンは、ずっと良好に対称的であり、前方半球に波打を有していない。これらの改善は、グランドプレーンメッシュにより表面電流が抑えられたためである。
【図２６】  グランドプレーンメッシュを交互に実施した態様の横断面図であり、上面の金属パッチが二枚の重なり合った層を形成し、薄い誘電体スペーサによって隔てられている。これにより、隣接する要素間の容量を増加させて、周波数を低くしている。
【図２７】  図２６に示された構造の平面図である。金属パッチの最上層が下んにある第二の層と重なり合って示されている。
【図２８】  図２６および図２７に描写された構造体上での周波数に対する表面波伝送強度のグラフである。帯域ギャップが２．２ＧＨｚから２．５ＧＨｚの周波数範囲をカバーしているのが見られる。
【図２９】  図２６および図２７に描写された構造体の反射位相のグラフである。反射位相は、帯域ギャップ内の周波数でゼロを通って横切っている。
【符号の説明】
１０…アンテナ要素、１２…キャパシタ、１４…インダクタ、２４…グランドプレーンメッシュ、２６…誘電体、３０…背面シート、３４…プレート、６２…パッチ、７０…誘電体、７２…バイア
【図１】
0003653470.tif 000002
【図２】
0003653470.tif 000003
【図３】
0003653470.tif 000004
【図４】
0003653470.tif 000005
【図５】
0003653470.tif 000006
【図６】
0003653470.tif 000007
【図７】
0003653470.tif 000008
【図８】
0003653470.tif 000009
【図９】
0003653470.tif 000010
【図１０】
0003653470.tif 000011
【図１１】
0003653470.tif 000012
【図１２】
0003653470.tif 000013
【図１３】
0003653470.tif 000014
【図１４】
0003653470.tif 000015
【図１５】
0003653470.tif 000016
【図１６】
0003653470.tif 000017
【図１７】
0003653470.tif 000018
【図１８】
0003653470.tif 000019
【図１９】
0003653470.tif 000020
【図２０】
0003653470.tif 000021
【図２１】
0003653470.tif 000022
【図２２】
0003653470.tif 000023
【図２３】
0003653470.tif 000024
【図２４】
0003653470.tif 000025
【図２５】
0003653470.tif 000026
【図２６】
0003653470.tif 000027
【図２７】
0003653470.tif 000028
【図２８】
0003653470.tif 000029
【図２９】
0003653470.tif 000030